(57)【要約】【課題】　段ボール箱の切り口の上に突き出ることなく、掲示紙片の上端を挟持あるいは支持し、或いは下端を挟持あるいは支持して、段ボール箱の側面に、斜め上に傾けた掲示ができるクリップを得ること。【解決手段】　針金を折り曲げてなるクリップとした。クリップ自体が取り付くための取り付き部と、掲示紙片を支持あるいは挟持するための留め付け部を、別々に、そして、一体にもつものとした。取り付き部は、二手に折れて挟み付くものとし、留め付け部は、留め押えのもの、突き込みのもの、輪挟みの３通りものとした。クリップは、つまみ代をもつものとした。【選択図】　図１
2004078230.tif 000002
【特許請求の範囲】
【請求項１】
　針金状の金属線あるいは金属棒が、二手に折れて挟み合う取り付き部をもち、取り付き部からの延長で、取り付き部の片側に、紙片を支持あるいは挟持する留め付け部をもつことを特徴とする、紙片を掲示するクリップ。
【請求項２】
　針金状の金属線あるいは金属棒が、二手に折れて挟み合う取り付き部をもち、取り付き部からの延長に、紙片を支持あるいは挟持する留め付け部をもつことを特徴とする、紙片を掲示するクリップ。
【請求項３】
　取り付き部が、二手に折れて挟み合う受け側と押え側からなり、受け側は押え側に対して深く入る平らかな受け面をもち、押え側は受け面に対し間を開けて折り返し、受け面の浅く入った位置に押え付く折り曲りの押えをもつ、以上の如き構成からなる、請求項１、２記載の紙片を掲示するクリップ（図１〜４２、４６〜６１、６４〜７３）。
【請求項４】
　受け側が、くねりをもつ線棒状である、請求項３記載の紙片を掲示するクリップ。
【請求項５】
　受け側に、滑り止めの被膜を被せもつ、あるいは粘性をもつチューブを付け合わせた、請求項３記載の紙片を掲示するクリップ。
【請求項６】
　受け側が、横張りをもつ、請求項３記載の紙片を掲示するクリップ。
【請求項７】
　取り付き部が、二手に折れて挟み合う受け側と抑え側からなり、受け側は押え側に対して深く入る平らかな受け面をもち、抑え側は受け面に対し僅かな間を開けて折り返し、受け面に平行に延びた抑えをもつ、以上の如き構成からなる、請求項１、２記載の紙片を掲示するクリップ（図４３〜４５、６２、６３７４、７５）。
【請求項８】
　取り付き部の片方の側が、直線状あるいは棒状（１Ａａ、４３Ｃａ）である、請求項３、７記載の紙片を掲示するクリップ。
【請求項９】
　取り付き部の片方の側が、直線状あるいは棒状で先端に尖り（２Ａｂ、４４Ｃｂ）をもつ、請求項３、７記載の紙片を掲示するクリップ。
【請求項１０】
　留め付け部が、取り付き部の受け側または押え側、あるいはその延長から張り出して折り返し、張り出し直前の浅く入った部位に曲り寄り、反り返り、その反り返りの稜で押え付く形状の留め押えからなる、請求項１、２、３、４、５、６、７、８、９記載の紙片を掲示するクリップ（図１〜４５）。
【請求項１１】
　留め付け部が、取り付き部の受け側または押え側の延長にもつ直線状、あるいは、くねりをもつ線棒状、あるいは、棒状に突っ張りの突き込みからなる、請求項１、２、３、４、５、６、７、８、９記載の紙片を掲示するクリップ（図４６〜６３）。
【請求項１２】
　留め付け部が、コイル巻き状あるいは渦巻状に巻いた輪挟みからなる、請求項１、２、３、４、５、６、７、８、９記載の紙片を掲示するクリップ（図６４〜７５）。
【請求項１３】
　留め付け部、あるいは取り付き部に、あるいは留め付け部と取り付き部とをつなぐ部分に、つまみ代をもつ、請求項１、２、３、４、５、６、７、８、９、１０、１１、１２記載の紙片を掲示するクリップ。
【請求項１４】
　平らかに巻く外輪と、螺旋状に巻く内輪からなる輪挟みを、一対にもつことを特徴とする、紙片を掲示するクリツプ。
【発明の詳細な説明】
【発明の詳細な説明】
【技術分野】
【０００１】　スーパー、八百屋、ドラッグストアなどでは、段ボール箱の上の部分をカットして商品の入ったままの状態で、箱ごと陳列している現状がある。本発明は、段ボール紙片あるいは厚紙を掲示紙片とし、段ボール箱の切り口の縁に取り付いて、その紙片を掲示するクリップについてのものである。
【背景技術】
【０００２】　従来、掲げ上げて掲示するクリップはあるが、段ボール箱の切り口の縁に取り付いて、その側面に掲示する適当なクリップがない。従来のクリップは、本体にバネを組み合せたもので、挟み付けた状態に於いて取っ手の部分が突き出てしまうものである。また、板状体を山形に折り曲げたもので、折り畳める取っ手をもつクリップもあるが、付け外しの都度、取っ手を起したり、寝せたりするものである。いずれのものも、挟み留め部分が掲示紙面に覆い被ってしまったり、また一見してクリップ自体が、その存在を主張するものであったりする。取り付いた縁から突き出てしまう取っ手は、邪魔になり目障りになる。掲示紙面に覆い被ったり、その存在を主張するクリップは、掲示紙片、或いは、掲示内容を主張し、強調しようとする用途では、それにそぐうものではない。【０００３】　公開特許公報、特開昭５１−１１２６２３（以下、先願ピンと云う）が、本発明の図３８の形状に似ている。先願ピンは、一般に云うゼムクリップと同様の使い方をするものであるが、針金を折り曲げて作る、また、背中合せに２つの挟み合いをもっている点で似ている。先願ピンの２つの挟み合いは、背中合せにもち、同じ位置、同じ形のものでなければならない。そして、一緒に作用するものでなければならないものであるが、本発明のクリップは、クリップ自体が取り付くための挟み合いと、掲示紙片を留め付けるための挟み合いを、別々に、そして一体にもつものである。そして、取り付くための挟み合いと、留め付けるための挟み合いは別個に働かせるもので、本発明のクリップでは、取り付く挟み合いと留め付ける挟み合いは、図３８に示すように、むしろ、異なった位置にある方が良く、つまみ代を持ち合せている側の紙片を留め付ける挟み合いは、クリップ自身が取り付く挟み合いより、下の位置にもつことによって、つまみ代をもって引き下げ加減に軽いタッチで挟み付けできるものになる。先願ピンと本発明のものは、基本的に、用途も使い方も異なるものであるが、敢えて、先願ピンを本発明のものと同じ使い方をするとき、先願ピンは、胴が短く、押え付く足と挟み合いのバランスがとれない。また、胴をつくる２つ折りした折り曲り部分が膨らみ気味で、押え付く足の反り曲り部分と凸どうしで挟み合うものになる、また胴体部の両脇が平らかでないなどのことから、安定した取り付き状態を得ることができない。また、段ボール箱の手前側から付け外しする使い方をするとき、つまみもちにくく、挟み入れ口は浅く、付け外しに不便で、本発明が意図する用途では、実用できるものでない。本発明のものは、挟み入れ口が広く深く、先願ピンの胴に当たる受け側は深く入るもので、丈は長く、また平らかな受け面をもち、先願ピンの足に当たる押え側は、浅く入った位置に押え付くものとし、挟み合うバネのバランスを良くしたもので、安定した状態に挟み付けできるものである。また、付け外しをしやすく便利にするためのつまみ代をもつものである。
【発明が解決しようとする課題】
【０００４】（１）クリップの取っ手が、段ボール箱の切り口の縁上に突き出ないかたちで、縁下の側面に、紙片を掲示できるクリップを得る。
（２）段ボール箱の切れ端、あるいは厚紙を掲示紙片とし、掲示紙片の下端あるいは上端を、支持あるいは挟持して、段ボール箱の縁下の側面に、掲示できるクリップを得る。並びに、斜め上に向く傾きをつけて、段ボール箱の縁下の側面に、掲示できるクリップを得る。
（３）掲示紙面に覆い被らないで、掲示できるクリップを得る。
（４）クリップ自体が目立たない、目障りにならないかたちで、掲示できるクリップを得る。
以上の課題を体し、軽便に使用できるクリップを得て、広く利用に供することを目的とする。
【課題を解決するための手段】
【０００５】　傾きをもたせた掲示をするために、紙片を掲示面から浮かせる必要があり、クリップ自体が取り付くための取り付き部と、掲示紙片を支持しあるいは挟持するための留め付け部を、別々に、そして一体にもつものとした。
【０００６】　クリップが取り付いた縁から、クリップの取っ手部分が突き出ないものとするために、針金状の金属線あるいは金属棒（以下、針金と云う）が、二手に折れて挟み合う取り付き部をもつものとした。そして、取り付き部からの延長に、紙片を支持あるいは挟持する留め付け部をもつ構成からなるものとした。
【０００７】　針金を用い、その折れ曲りでなるクリップとしたのは、段ボール箱は一般的に板筋が縦になる形で形成されるので、縦細に深く挟み付く上で、線状あるいは棒状の針金は適している、また、弾性をもち、バネに適している。折り曲げのデザインに適応性が高い。掲示紙面に覆い被る体面積が小さくてすむからである。
【０００８】　また、丸い径をもつ針金は、平面的に曲げ折ったクリップであっても、正面から押え合うものとした場合には、挟み付けたときに、押え側が突き立つ形に自ら直って正しい姿勢で立体的に挟み付くものとなり、細長に挟み付く形状の、本発明のクリップに適している。
【０００９】　段ボール箱の切り口に取り付く取り付き方として、２通りのものとした。１つは、段ボール箱の縁の内側と外側から挟み付いて、取り付く方法である。もう１つは、段ボール箱の切り口の縦穴に、挟み付く片方の足を差し込む形で挟み付く方法である。
【００１０】　前項に述べた２通りの取り付き方に合せ、取り付き部の形を２通りのものとした。１つは、主として前者の取り付き方をするもので、取り付き部が二手に折れて挟み合う、受け側と押え側からなり、受け側は押え側に対して、深く入る平らかな受け面をもち、押え側は受け面に対し間を開けて折り返し、受け面の浅く入った位置に押え付く折り曲りの押えをもつ、以上の如き構成からなるものとした。それは図１〜４２、４６〜６１、６４〜７３に示すものである。尚、以下の説明に於いて、受け側を受けと云う場合もある。押え側を押えと云う場合もある。
【００１１】　もう１つは、後者の取り付き方をするもので、取り付き部が二手に折れて挟み合う、あるいは抑え合う、受け側と抑え側からなり、受け側は抑え側に対して、深く入る平らかな受け面をもち、抑え側は受け面に対し、僅かな間を開けて折り返し、受け面に平行に延びた抑えをもつ。以上の如き構成からなるものとした。それは図４３〜４５、６２、６３、７４、７５に示すものである。尚、以下の説明に於いて、受け側を受けと云う場合もある。抑え側を抑えと云う場合もある。抑えは、直線状あるいは棒状の差し込み形状のものであるが、先端を尖らせておくと差し込み易く、使い易い。
【００１２】　前々項で説明したもので、取り付き部の構成が、受け側と押え側からなるもので、押え側の延長に留め付け部をもつものは、図１に示すように、受け側が直線状あるいは棒状であることから、前者の段ボール箱の切り口の縁の、内側と表側から挟み付くかたちで取り付くこともできるし、後者の段ボール箱の切り口の縦穴に、受けを差し込むかたちで、挟み付くあるいは取り付くこともできる。前者の取り付き方で使用するものとする場合、縦細長のクリップとすることから、
（イ）受けが縦軸となっての振れ動きを防ぐために、図５、６に示すように、受け側に横張りをもつと良い。
（ロ）左右に倒れにくくするために、受けに滑り止めとして、図４に示すようにゴムチューブを付け合せると良い。
（ハ）因みに、図２９〜３３に示すように、同じものを横並びにつなぎもつのも良い。つなぎもち方により、そのつなぎ部分が、図７、８に示すように横張りを兼ねるものになる。
後者の取り付き方で使用するものとする場合、
（ニ）段ボール箱の切り口の縦穴に差し込み易いように、図２に示すように受けの先端に尖りをもつと良い。因みに、先端に尖りをもつものではないが、図２６〜２８、３３、３５〜４１、５７、５８、６０、６１、７１〜７３は、受け側が差し込み形状をもち、前者と後者の使い分けができるものである。尚、図３３のものは、後者の使い方をするとき、取り付き部の頭部を受け側に迫り出す形にもつものとしているので、この部分が、つまみ代として使用できるものになる。
（ホ）段ボール箱の切り口の縦穴の大きさに、多少の異なりがあっても対応できるものとして、細めの線材を用い、図３に示すように、受けに緩いくねりをもつものとすると良い。この場合でも先端が尖るものとしておくと更に良い。
以上の措置は必ずしも必要とするものではないが、クリップの大きさや構成のバランス、素材の太さやバネの強さなどにより、必要により採用するものとした。
【００１３】　以上に、取り付き部についての説明をした。以下に、紙片を支持あるいは挟持して掲示する留め付け部について説明する。留め付け部の形態は３通りのものとした。
【００１４】　留め付け部について、その１。留め付け部が、取り付き部の受け側または押え側、あるいはその延長から張り出して折り返し、張り出し直前の浅く入った部位に曲り寄り、反り返り、その稜で押え付く形状の留め押えからなるもの（図１〜４５）である。
【００１５】　留め押えに相対する受け留め側について説明する。取り付き部の説明において安定した取り付き状態を得るためのものとして、受けに横張りをもつと良いと云うことを既に説明したが、図２０、２１に示す如きものは、掲示紙片を留めつける面からしても、安定した留め付け状態を得るものである。図２０は、受けを渦巻状に折り曲げた横張りで、取り付き側にも、留め付け側にも平らかな仮想面をもつものである。図２１は、板状体を横張りしたもので、取り付き側にも、留め付け側にも平らかな板状面をもつものである。尚、留め付けにだけ有効な横張りとしては、図４、２７に示す（４Ｄｅ、２７Ｄｅ）如きのもので、浮いた状態の位置で留め押えるとき、図３、２６で示す如きの線と点で押え合うものより、面と点で留め押え合うものの方が、格段に安定した留め付け状態を得られるものになる。
【００１６】　図１〜１８は、押えの延長に、留め押えをもつものである。そのうち図１〜１１、１７、１８は、上向きの挟み入れ口をもつもので、掲示紙片の下端を挟持して掲示するものである。図１２〜１６は下向きの挟み入れ口をもつもので、掲示紙片の上端を挟持して掲示するものである。
【００１７】　図１９〜４５は、受け側の延長に留め押えをもつものである。そのうち、図１９〜３７、４３〜４５は、上向きの挟み入れ口をもつもので、掲示紙片の下端を挟持して掲示するものである。図３８〜４２は、下向きの挟み入れ口をもつもので、掲示紙片の上端を挟持して掲示するものである。
【００１８】　尚、図４３〜４５は、図１９〜４２のものと異なり、取り付き部が受け側と抑え側からなるものであるが、受けと押えからなる取り付き部の、受けの延長につくる留め押えと、形態を同じくする受けの延長につくる同じ留め押えであることから、図１９〜３３と同様の構成のものをつくることができる。因みに、図４３、４４、４５は、図２０〜４２の原形とも云える図１９、２０、３０と、それぞれ対照させるものとして示したものである。
【００１９】　留め付け部について、その２。留め付け部が、取り付き部の受け側または押え側の延長にもつ直線状、あるいは、くねりをもつ線棒状、あるいは棒状に突っ張りの突き込みからなるもの（図４６〜６３）である。そして、図４６〜５３は、押え或いは押えの延長に延びる突き込みをもつものである。図５４〜６３は、受け或いは受けの延長に延びる突き込みをもつものである。
【００２０】　尚、図６２、６３は、図５４〜６１のものと異なり、取り付き部が受けと抑えからなるものであるが、受けと押えからなる取り付き部の、受けの延長につくる突き込みと、形態を同じくする受けの延長につくる同じ突き込みであることから、図５４〜６０と同様の構成のものをつくるこ件ができる。因みに、図６２、６３は、図５４〜６０の原形とも云える図５４、５５と、対照させるものとして示したものである。
【００２１】　留め付け部について、その３。留め付け部が、取り付き部の受け側または押え側の延長にもつコイル巻き状あるいは渦巻状に巻いた、輪と輪で挟み合う輪挟み（図６４〜７５）である。そして、図６４〜６８は、押え或いは押えの延長に輪挟みをもつものである。図６９〜７３は、受け或いは受けの延長に輪挟みをもつものである。留め押えと輪挟みは、形態を同じくする受け或いは押え、或いはその延長につくる留め付けであることから、留め付け部にもつ留め押えを輪挟みに替える形で、図１〜３６と同様の構成のものをつくることができる。因みに、図６４、６９は、図２〜１１、２０〜３６の原形とも云える図１、１９と、対照させるものとして示したものである。
【００２２】　尚、図７４、７５は、図２０〜３６のものと異なり、取り付き部が受けと抑えからなるものであるが、受けと押えからなる取り付き部の、受けの延長につくる留め押えと、同じ形態の受けの延長につくるものであることから、留め付け部にもつ留め押えを輪挟みに替えるかたちで、図１９〜３６と同様の構成のものをつくることができる。因みに、図７４は、図２０〜３６の原形とも云える図１９に、対照させるものとして示したものである。
【００２３】　従来の輪挟みは、一定の径で巻いたコイル巻き状のもので、真横から見れば、それぞれが斜めに重なり合ったものである。従って、掲示紙片を挟み留めたとき、紙片を斜めに挟み留め、掲示しているものになる。それでも図６７、６８、７２に示す如きの、単独で使用し空間に掲げ上げた状態で使用するものの場合は、ことに気になるものでないが、本発明の構成で図１に示すように、段ボール箱の側面に掲示するようなものとする場合、掲示紙片の左右どちらかが段ボール箱の側面に寄り掛かってしまい、もう片方が手前に浮き出てしまう。また、図６６、７０、７３に示すように、輪挟みを横並びにつなぎもって一対にしたものの場合、掲示紙片を留め付け難く、留め付けたとしても掲示紙面の２スポットに歪みをつくってしまうなどの問題がある。
【００２４】　この問題の解決として、渦巻き状に巻くものとし、外輪と内輪をもつものとし、渦巻きの最初の巻きは平らかに巻き、２回目の巻きは、その巻きの内輪に入るかたちで半巻き程度してから螺旋状に巻き進むものとした。平らかに巻く平巻きと、螺旋巻きの間に挟み留めることで、取り付き面に並行に掲示することができる。また、平巻きは大きめ、螺旋巻きは小さめになり、挟み留めしやすいものとなる。尚、平らかに巻く外輪と螺旋状に巻き進む内輪からなる挟み留めの外輪は、取り付き面に平らかに接するための座となり、反対側は掲示紙片を平らかに挟む、或いは挟み留めるための、輪挟みの受け座になる。尚、外輪は１巻き、内輪は外輪の中から螺旋状に立ち上がる半巻きないし１巻きと、掲示紙片を挟み留める巻きの１巻き、合わせて２巻き半から３巻き程度の巻きをもつものにすると良い。渦状に巻く挟み留めには、紙片を上下どちらからでも挟み留めることができるものであるが、主として紙片を下端から挟持するかたちで構成し使用するのが良い。
【００２５】　１つの輪挟みからなるクリップを単独で使用するとき、紙片を挟み付けたとき左右のどちらかが下がり、どちらかが上がってしまい、横ラインの平衡が取りにくい上に、左右に倒れやすい問題がある。図６６、７０あるいは図７３に示す如く２つの輪挟みを横並びにもつと、確かな留め付けのものとなる。尚、図７３は、紙片の留め付け手段として、典型的なかたちで一対の輪挟みをもつクリップとした一例である。一対の輪挟みを他の取り付き手段と組み合せ、多くの箇所に掲示できる使い道のものを得ることができる。
【００２６】　本発明のクリップは、１スポットに取り付く図１に示す如きもの（以下、単体または、シングルクリップと云う）と、それを横並びあるいは左右対称につなぎもつ図７、８に示す如きもの（以下、ダブルクリップと云う）がある。本発明のクリップは、針金を折り曲げてつくるものであることから、摘み持ち難く、取り扱いにくいものであり、それ故に、摘み持ち易く、付け外しし易くするための解決を合せた形の発明である。取り付き部、あるいは留め付け部に、あるいは取り付き部と留め付け部をつなぐ部分に、つまみ代をもつものとした。
【発明を実施するための最良の形態】
【００２７】　先ず、取り付き部について説明する。受けと押えからなる取り付き部をもつものと、受けと抑えからなる取り付き部をもつものの、２通りのものがあることを既に説明した。後者のものは、抑えを段ボール箱断面の縦穴に差し込み、受け側も取り付いた側面にぴったりと張り付く状態で挟み付くとすることから、比較的安定した状態に取り付くことができるが、前者のものは、留め付け部を取り付き部の押えの延長につくることもできるし、受けの延長につくることもできる。留め付け部を、取り付き部の押えの延長につくるものとする場合、段ボール箱の切り口の内側と表側から挟み付く使い方と、切り口にもつ縦穴に受け側を差し込む形で、挟み付く使い方ができる。留め付け部を、取り付き部の押えの延長にもつものとする場合には、上述のように２通りの使い方ができるものである一方、取り付けたとき、押えの押え付くスポットを支点にしてクリップが振れ動き易いことから、これを解消するための、選択できる措置について、項目００１２で説明したが、図を追って補足説明をする。【００２８】　図７、８、１１、１５に示す如くダブルクリップとした場合には、その形態から一定の安定した留め付き状態を得ることができるので、シングルクリップとする場合に於ける受け側の形について、図１を原形として選択できる形を、図２、３、４、５、６を参照して説明する。【００２９】　図１の受け側は、直線状あるいは棒状である。この形は段ボール箱の縁の内側と外側から挟み付くこともできるし、受けを段ボール箱の穴目に突き込んで挟み付けることもできるものである。前者の挟み付け方のものとする場合、使用する線材を太め（１２番手以上）のものにすると、安定した取り付き状態が得られるものとなる。【００３０】　図２の受け側は、直線状あるいは棒状の先端に尖りをもたせたものである。この形は、受けを段ボール箱の断面の穴目に突き込んで、挟み付けるのに適している。段ボール箱の切り口は、一様の状態でなく、つぶれていたり、切れてささくれていたり、穴目がきれいに開いていない場合が多く、スムーズに差し込み難いことから。先端に尖りをもたせておくと大変に使いやすい。太め（おおよそ１６番手１．６〜１．５ミリ径以上）の線材を使用すると、その太さで安定した挟み付きを得ることができる。【００３１】　図３の受け側は、受けに緩いくねりをもたせたものである。図２の場合は、多少太めの線材を使用したときのものであるが、図３の場合は、段ボール箱に使用されている板厚がまちまちであり、穴目の大きさが多少異なるものであっても対応するクリップとして、細めの線材を使用し、くねりをもって、穴目に順応させるものである。尚、このクリップも先端が尖ったものとすると良い。また、くねりの山を結ぶ線は、直線状に平らかであることが大切である。穴目に差し込む形での挟み付けは、筋交いを得た如く安定したものになる。【００３２】　図４の受け側は、受けの先端にゴムチューブを付け合せたものである。ゴムチューブは受けの先端に、そして多少はみ出し加減に被せもつことで、滑り止めとするとともに、受けの先端を保護し安全を得るものになる。ゴムチューブを付け合せることで一層安定した取り付き状態を得るものになり、段ボール箱の縁に限らず、硬くて滑り易いプラスチック板の縁にも留め付けできるクリップになる。またビニールを被ったワイヤー線を使用するのも良い。【００３３】　図５の受け側は、横に張る形をつくったものである。図では円い形であるが、小さな円形でも良いし、円い形でなくても良い。但し、横張りは側面から見て、内側が平らかであることが大切である。横張りは仮想の平面、あるいは仮想の板面をもつと云うことである。これにより受けが縦軸となって振れ動くことをなくすことができる。【００３４】　図６は、受け側に板状体を横張りしたものである。図５では、仮想の板面をもつものとしたが、図６は、実際に板状体を横張りしたもので、更に強固な形体のものとなるとともに、安定した取り付き状態を得られるものとなる。【００３５】　次に、留め付け部について説明する。留め付け部は受けと押えからなる、取り付き部の受けまたは押えからの延長につくる。または、受けと抑えからなる取り付き部の受けの延長につくるものとしている。前者の受けも、後者の受けも同様のものと考えてさしつかえないことから、どちらの受けの延長につくる取り付き部も、同じ形態のものをつくることができる。左様なことから大きく分けて、押え側につくる留め付け部と、受け側につくる留め付け部があると云うことができる。押え側につくる留め付け部は、押えの張り出した形に負さる形で傾きをもって掲示する留め付け部をつくりやすい。受け側につくる留め付け部は、抱かれる形で垂直に掲示する留め付け部をつくり易い。留め付け部は、次に説明する３通りのものとした。【００３６】　その１は、受けまたは押えからの延長に折り返りをつくり、折り返る直前の浅く入った部位に押え付く、折り曲りの留め押えをもつもので、図１〜４５に示すものである。留め押えは、スポットを留め押えるものであることからシングルクリップを使用する場合は、画鋲やピンで留め付けるようにペアで使用するのが良い。円い径をもつ針金が折れ曲り、その曲り部分の稜で押え付くことは、即ち、点で押え付くものであり、文字通りバネの力を重点的に働かせることができ、掲示紙片をしっかり留め押えることができる。尚、留め押えの形について、代表する図をもって以下に説明する。【００３７】　図１の留め押えは、取り付き部の受けまたは押えから、あるいはその延長から間を開けて折り返り、曲り寄って外側に反り返り、その反り返りの稜が相対の受け留め側に押え付く形状をもつものである。尚、反り返りの延長に、つまみもてる程に張り出しの折れ曲りをつくり、それをつまみ代とするものである。【００３８】　図５の留め押えは、取り付き部の受けまたは押えから、あるいはその延長から間を開けて折り返し、曲り寄って外側に反り返り、その反り返りの稜が、相対の受け留め側に押え付く形状をもつものである。尚、反り返りの延長に頭をつけて、それをつまみ代とするものである。因みに、図５の留め押えは、図１のものと同様のものであるが、留め押えの形とつまみ代を一体のものとして見るとき、図１のものと異なるつまみ代をもつことから、別の留め押えの形として説明した。【００３９】　図６の留め押えは、取り付き部の受けまたは押えから、あるいはその延長から間を開けて折り返し、つまみもてる程に張り出しの弧をつくるかたちで、内に曲り込み、その曲り込んだ稜が、相対の受け留め側に押え付く形状をもつものである。尚、つまみもてる程に張り出しの弧をつまみ代とするものである。【００４０】　図２２の留め押えは、取り付き部の受けあるいはその延長から、つまみもてる程の大きさに湾曲して折り返し、一旦、受け側に曲り寄ってから、間を広げる形に伸長し、内に曲り込み、曲り込みの稜で、相対の受け留め側に押え付く形状をもつものである。尚、つまみもてる程の湾曲部をつまみ代とするものである。【００４１】　図２３の留め押えは、取り付き部の受けあるいはその延長から、つまみもてる程の大きさに湾曲して折り返し、やや受け側に曲り寄ってから、間を狭める形に伸長し、受け側に曲り寄って、外側に反り曲り、その反り曲りの稜が、相対の受け留め側に押え付く形状をもつものである。尚、つまみもてる程の湾曲部をつまみ代とするものである。【００４２】　以上、留め押えの典型的なものを説明したが、その中でも全体を通して主に図１のものを採用して図示した。留め押えに相対する受け留め側は、取り付き部の受けであったり、受けまたは押えの延長部であったりするが、殊に、傾きをもたせるためにクリップの取り付け面から浮かせた掲示をするものの場合、図４、２７に示すように、留め押えに相対する受け留め側に横張りをつくっておくと、確かな留め付けのものにすることができる。しかし本発明で、敢えて、線と点で押え合うものを主体にして図示し、説明しているのは、このクリップは、掲示紙片が広幅のものでも、狭幅のものでも適宜に対応できるものとして、ペアで使用することを主眼としていること。また、掲示紙片として、段ボールの切れ端あるいは厚紙を対象としていることなどからである。【００４３】　その２は、受けまたは押えからの延長に、直線状あるいは緩いくねりをもつ線棒状、あるいは棒状に突っ張る突き込みをもつもので、図４６〜６３に示すものである。突き込みを段ボール紙片の断面にもつ穴筋に突き込んで支持するものである。突き込みは、突っ張る傾きを自由に設定することができるが、図６０に示すように、継ぎ手を組み入れるものとすれば、必要に応じて任意に傾きを変えて使用できるものになる。尚、掲示に使用する段ボール紙片の、板厚や穴目の大きさに多少の異なりがあっても、使用できるものとして、細めの線材を使用し、緩いくねりをもたせたものにして、くねりをもって穴目に順応させて留め付けるものも良い。因みに、くねりの山を結ぶ線は、直線状、即ち、平らかであることが大切である。また、いずれの形の突き込みにしても、先端が尖るものにしておくと突き込み易く、使い易い。【００４４】　その３は、コイル巻き状あるいは渦巻状に巻いた輪と輪の間に挟み入れて、留め付ける輪挟みをもつもので、図６４〜７５に示すものである。輪挟みは、輪と輪で挟み押えるので、ペアで使用しなくても、或いはダブルクリップにしなくても、単体であっても、掲げ上げて掲示することができる特徴をもっている。【００４５】　本発明のクリップは、現場で調達できる段ボール箱の切れ端を、掲示紙片として使用し、マジックペンなどで書き付けて、その場で段ボール箱の切り口に掲示するのに便利なものを目指したもので、殊に、留め押え、突き込みの手段による留め付けは簡便に使用できる。また、突き込み、輪挟みの手段による留め付けは、大きく留め押えることができるので、掲げ上げての掲示に便利に使用できる。【００４６】　本発明のクリップは、段ボール箱の切り口の手前側あるいは上部に、紙片を掲示するためのもので、段ボール箱の縁の上にクリップの体を突き出さない形、そして箱の手前側から付け外しし易い形、更に、掲示紙面に邪魔にならない、目障りにならない、覆い被らない、そして扱い易く便利に使えるものとして、取り付き部、あるいは留め付け部、あるいは取り付き部と留め付け部をつなぎもつ部分に、つまみもてる程の張り出す形をつくり、それをつまみとするものである。本発明では、つまみを、はっきりした形状あるいはイメージのものとしていないことから、一般に云うつまみに代わるつまみとして、つまみ代と呼ぶものとしている。【００４７】　以下に、この発明に於けるつまみ代の実施例について説明する。
（１）図１に示すのは、留め押えの延長に、つまみもてる程に張り出しの折り曲りをつくり、それをつまみ代とした例である。尚、図２〜４、８、１２、１４〜１６、１９、２６、２７、２９、３２〜３８、４３、５７、６１、７２、７３も、同様のつまみ代をもつものである。
（２）図５に示すのは、留め押えの延長を張り出す形にして、その端に頭をつけ、それをつまみ代とした例である。尚、図２０、４４も、同様のつまみ代をもつものである。
（３）図６に示すのは、取り付き部の延長から間を開けるかたちで折り返し、間を広げるかたちに張り出し、つまみもてる程に張り出しの弧をつくるかたちで内に曲り込み、その曲り込んだ稜が、相対の受け留め側に押え付く形状の留め押えをもつものである。その張り出しの形状をつまみ代とした例である。尚、図２１、２４、３１、３９も、同様のつまみ代をもつものである。
（４）図７、３０に示すのは、ダブルクリップとして横並びにつなぎもつところのつなぎ部分を、つまみもてる程に引き出してもち、つまみ代とした例である。尚、図４５も同様のつまみ代をもつものである。因みに、図７の場合は押え側でつなぎもち、図３０は受け側でつなぎもつものである。このつまみ代は、横幅を狭めにつなぎもつ場合に採用できるものである。
（５）図９に示すのは、押え側から受け側に迂回する折れ曲りを、取り付き部の頭部に、つまみもてる程の張り出しの弧をつくり、それをつまみ代とした例である。尚、図１０、１１、２５、５１、６５、６６も同様のつまみ代をもつものである。
（６）図１３に示すのは、取り付き部の押えを、つまみもてる程の弧をつくるかたちで張り出してもち、それをつまみ代とした例である。
（７）図１７に示すのは、押えからの折り返し部分を、つまみもてる程に下垂れの弧をつくり、それをつまみ代とした例である。尚、図１８、４８、４９、５３、６７、６８も、同様のつまみ代をもつものである。
（８）図２２に示すのは、受けからの折り返しでつくる留め押えの元部に、つまみもてる程に弧をつくるかたちに張り出してもち、それをつまみ代とした例である。尚、図２３も、同様のつまみ代をもつものである。
（９）図２８に示すのは、受け側から押え側に迂回する折れ曲りを、取り付き部の頭部につまみもてる程に張り出しの弧をつくり、それをつまみ代とした例である。尚、図５８、７１も、同様のつまみ代をもつものである。
（１０）図４０に示すのは、取り付き部と留め付け部をつなぐつなぎ部分を、つまみもてる程の張り出しの弧をつくり、それをつまみ代とした例である。尚、図４２も、同様のつまみ代をもつものである。
（１１）図４１に示すのは、取り付き部の押えの頭部を、つまみもてる程に受け側に迫り出しをつくり、それをつまみ代とした例である。尚、図５４、５６も、同様のつまみ代をもつものである。
（１２）図４６で示すのは、押えをつまみもてる程の弧をつくり、曲り込む形のものとし、それをつまみ代とした例である。尚、図５２も、同様のつまみ代をもつものである。
（１３）図４７に示すのは、押えの延長からの折り返し部分を、つまみもてる程に張り出しの弧をつくり、それをつまみ代とした例である。
（１４）図５０に示すのは、受けの下端を、つまみもてる程に張り出しの折れ曲りをつくり、それをつまみ代とした例である。
（１５）図５５は、受けからの折り返し部分を、つまみもてる程に張り出しの弧をつくり、それをつまみ代とした例である。尚、図６３も同様のつまみ代をもつものである。
（１６）図５９に示すのは、受けの延長から折り返す部分に、つまみもてる程の弧をつくり、それをつまみ代とした例である。
（１７）図６０に示すのは、取り付き部と留め付け部の間に継ぎ手をもち、それをつまみ代とした例である。
（１８）図６２に示すのは、受けと抑えを折り分ける部分を、つまみもてる程の折り曲りをつくり、それをつまみ代とした例である。尚、図７５も、同様のつまみ代をもつものである。
（１９）図６４に示すのは、輪挟みの巻きの末を、つまみもてる程に張り出しの折り曲りをつくり、それをつまみ代とした例である。尚、図６９、７０、７４も、同様のつまみ代をもつものである。【００４８】　以下、図を追って補足説明をする。全てのものが、つまみ代をもつものである。つまみ代については前項で箇条書きにしたので、以下の説明では、箇条書きの番号をもって説明に代える。但し全体を通して、主として箇条（１）のつまみ代をもつもので図示しているので、箇条（１）のつまみ代をもつものについては、特に説明するものを除き、その説明を省略した。【００４９】　図１〜６は、受けと押えからなる取り付き部の受け側の在り方について、図１を原形として、図１〜６の形態を選択できることについて既に説明したが、以下の図番のものも同様に、図１〜６の受け側の形態を選択できるものとして、原形で図示した。それは図９、１０、１２〜１４、１６〜１８、４６〜４９、５１、６４、６５、６７、６８のものである。図１〜４は、同じ形の留め押えとつまみ代をもつ。つまみ代は箇条（１）のものである。図５のつまみ代は、箇条（２）のものである。図６のつまみ代は、箇条（３）のものである。図７、８は、単体を横並びにつなぎもったもので、ダブルクリップとした例である。図７のつまみ代は、箇条（４）のものである。図８は、受け側に板状体を付け合せたもので、幅広のものとするとき、クリップの形態をしっかりしたものにすることができる例である。つまみ代は箇条（１）のものである。図９、１０、１１は、押え側から取り付き部の頭上を迂回して、受け側に延びた延長に留め押えを設けた例である。図１０は、留め押えの相対する受け留め側に、横張りをつくった例である。図１１は、板状体で横つなぎした例である。また、留め押えの形が、内に曲り込んで押え付く形を採用した例である。また、つまみ代として箇条（５）のものをもつものとした例である。図９、１０のものは箇条（１）のつまみ代を、また、図１１のものは、箇条（３）のつまみ代も、持ち合せたものとしている。【００５０】　図１２、１３は、取り付き部に対し、留め付け部をやや下方にもった例である。図１３のつまみ代は、箇条（６）のものである。図１４、１５は、取り付き部の手前側面に留め付け部をもった例である。図１６、１７は、取り付き部のやや上方に留め付け部をもった例である。図１６は、下に向く挟み入れ口とすることから、つまみ代は箇条（１）のものになるが、図１７は、上に向く挟み入れ口とすることから、つまみ代は箇条（７）のものにすることができる。図１８は、図１７と同様のものであるが、取り付き部と留め付け部の間に継ぎ手を入れ、留め付け部の傾きを適宜に変えられるものとした例である。継ぎ手は、一般的に使われている球関節をもつものを使用したが、継ぎ手の形態について特定するものではない。つまみ代は箇条（７）のものである。継ぎ手部分もつまみ代となる。【００５１】　図１９は、受けと押えからなる取り付き部の、受け或いは受けの延長につくる留め押えの原形とも云えるもので、箇条（１）のつまみ代をもつものである。図２０のつまみ代は箇条（２）のものである。尚、留め押えの相対する受け留め側に、横張りをもつものとした例である。図２１は箇条（３）のつまみ代をもつものとした例である。図２２、２３は箇条（８）のつまみ代をもつものとした例である。図２４は箇条（３）のつまみ代をもつものとした例である。図２５は、つまみ代として、箇条（５）のものをもつものとした例であるが、箇条（１）のつまみ代も、持ち合せたものとしている。図２６、２７は、受け側を上に折り返してから、斜め下に張り出した留め押えをもつ例である。図２７の留め押えは、相対の受け留め側に横張りを設けたものである。図２８は、受け側から取り付き部の頭上を迂回して、押え側に留め押えを設けた例である。つまみ代は、箇条（９）のものである。図２９〜３３は、単体を横並びにつなぎもって、ダブルクリップとしたものである。図２９、３３は、取り付き部の押え側でつなぎもったものの例である。図３０は、取り付き部の押え側と、留め付け部の両方でつなぎもった例である。つまみ代は箇条（４）のものである。図３１は、取り付き部の押え側でつなぎもった例である。つまみ代は箇条（３）のものである。図３２は、板状体でつなぎもった例で、取り付き面に垂直に掲示するものとした例である。図３３は、取り付き面に傾けて掲示するものである。【００５２】　図３４〜３７は、取り付きの頭上の挟み入れ口が、上に向く留め押えをもつ例である。図３４は、取り付き部も留め付け部も、受け側に横張りをもたせ、仮想の面と点で挟み合うものとした例で、図３５、３６に示す点と線で挟み合うものと対照させた例である。図３６に示すように、取り付き部と留め付け部の間を、継ぎ手でつなぎもち、傾きを自在にできるものとした例である。継ぎ手は図１８のものと同じである。図３７は、ダブルの留め押えを上下につなぎもった例である。【００５３】　図３８〜４２は、取り付き部の受けからの延長で、挟み入れ口が下に向く留め押えをつくったものである。図３８、３９は、取り付き部に対して、留め付け部をやや下方の位置にずらしてもつものとした例である。また、図３８と図３９は、留め付け部を異なる形態のものとして、対照させて示した例である。つまみ代をもつ留め付け部を、下の位置にもったことで、引き下げ加減に軽く取り付けできるものになる。図３９のつまみ代は、箇条（３）のものである。図４０、４２は、取り付き部と留め付け部のつなぎ部分に、つまみ代をもった例で、つなぎ部分、即ち、中間につまみ代をもったことで、付け外しの力が取り付き側に直接に働き、付け外しがしやすいものになる。つまみ代は箇条（１０）のものである。図４１のつまみ代は箇条（１１）のものである。図４０〜４２は、留め付け部を傾きをもたせたことで、留め付け部につまみ代をもつものとした場合に、付け外しの力が取り付き部に直接に働き難く、付け外しがしにくいことから、取り付き部に近い位置につまみ代を設けたものである。【００５４】　この発明のクリップは、段ボール箱の切り口に取り付いて、段ボール箱の切れ端である段ボール紙片を、掲示紙片として留め付けて掲示することを主眼としているもので、取り付き部と留め付け部は、基本的には同じ形態のもので良いのであるが、取り扱い、あるいは付け外し、あるいは安定した取り付き状態を得るために別々な角度から見て区分けしているもので、殊に、付け外しの面からは、つまみ代をどの部位にもつものとするかなどで、取り付き部と留め付け部に分けるものとしているが、図４２に示す如きは、つまみ代を取り付き部と留め付け部の中間に設けているので、どちらをどちらとして使用しても良いものである。図３５、３６、３７についても同じことが云える。形状を同じくする取り付き部と留め付け部を、頭合せにもつものである。下側にした方が取り付き部となり、上側にした方が、留め付け部となる。どちらをどちらとして使用しても良いものである。【００５５】　図４３〜４５は、受けと抑えからなる取り付き部の、受けの延長に留め押えをもつものである。受けと押えからなる取り付き部とは、取り付き方は異なるが、受けと押えからなる取り付きの受け側に設けた留め押え（図１９〜３３）と、同様の留め押えをもつことができる。因みに、図４３、４４、４５は、図１９、２０、３０に対照させるものとして図示したものである。図４３は箇条（１）のつまみ代をもつもの、図４４は箇条（２）のつまみ代をもつもの、図５５は箇条（７）のつまみ代をもつものとした例である。【００５６】　図４６〜５３は、受けと押えからなる取り付き部の、押えの延長に突き込みをもったものである。図４６、５１、５２は、斜め下向きの突き込みをもつものとした例である。図４７、４９は、斜め上向きの突き込みをもつものとした例である。図４８、５０、５３は、真上に向く突き込みをもつものとした例である。任意の傾きを設定することができる。図５２、５３はダブルクリップにしたものであるが、横並びのつまみ幅は任意に設定するもので良い。図４６、５２は、取り付き部の押えを変形させて、つまみ代としたことを特徴とする例である。図４７は箇条（１３）のつまみ代をもつ、図４８、４９、５３は箇条（７）のつまみ代をもつものとした例である。図５０は、突き込みと反対側である取り付き部の受けの下端に、つまみ代をもつものとしたことを特徴とする例である。図５１は箇条（５）のつまみ代をもつものとした例である。【００５７】　図５４〜６０は、受けと押えからなる取り付き部の、受けの延長に突き込みをもつものである。図５４、５６は、取り付きの受け側と、留め付けの突き込みが区分なく、１つになったものと云える。そして、図５４、５６は、取り付き部の押えを変形させたつまみ代をもつものとして、真下に向く突き込みをもつことを特徴とする例である。つまみ代は箇条（１１）のものである。図５５、５７は、真上に向く突き込みをもつものである。突き込みの長さは、図５５は短くもち、掲示紙片を取り付き部の側面に支持するもの。図５７は長くもち、取り付き部の頭上に掲げて掲示するものである。尚、図５７はダブルクリップとした例で、このように横幅を狭めにつなぎもつものについては、大きく張り出しのつまみ代をもたなくても、クリップ全体としてつまみもち易いものになる。図５８は、受け側から取り付き部の頭上を迂回して押え側に延び、斜め下向きの突き込みをもつものとした例である。つまみ代は箇条（９）のものである。図５９は、受けが頭部まで折り返した上で、斜め下向きの突き込みをもつものとした例である。つまみ代は箇条（１６）のものである。図６０、６１は受けの延長が、折り返して直状に延び、取り付き部の頭部から突き出た突き込みをもつものとした例である。図６０は、取り付き部と突き込みの間を継ぎ手でつなぎ、自在の傾きをつくれるものとした例である。つまみ代は箇条（１７）のものである。図６１は、取り付き部につまみ代をもった例である。図６１は、図５７と対照して見るとき、図５７は、留め付け部の元部につまみ代をもった例である。【００５８】　図６２、６３は、受けと抑えからなる取り付き部の、受けの延長に突き込みをもつものである。受けと押えからなる取り付きとは、取り付き方は異なるが、受けと押えからなる取り付きの受け側に設けた突き込み（図５４〜６０）と、同様の突き込みをもつことができる。因みに、図６２、６３は、図５４、５５に対照させるものとして図示したものである。図６２は真下に向く突き込みをもち、箇条（１８）のつまみ代をもつもの、図６３は真上に向く突き込みをもち、箇条（１５）のつまみ代をもつものである。【００５９】　図６４〜６８は、受けと押えからなる取り付き部の、押えの延長に、輪挟みをもつものとした例である。図６４は図１、図６５は図９、図６６は図１１、図６７は図１７、図６８は図１８のものと対照できるもので、図１〜１８について、留め押えに替えて輪挟みをもつことができる。図６４のつまみ代は箇条（１９）のものである。図６５、６６のつまみ代は箇条（５）のものである。図６７、６８のつまみ代は箇条（７）のものである。尚、図６８のものは、継ぎ手部分もつまみ代とすることができる。継ぎ手は図１８のものと同じである。【００６０】　図６９〜７３は、受けと押えからなる取り付き部の、受けの延長に、輪挟みをもつものとした例である。図６９は図１９、図７０は図２９、図７１は図２８、図７２は図３５と対照できるもので、図１９〜図３６について、留め押えに替えて、輪挟みをもつことができる。図６９、７０のつまみ代は箇条（１９）のものである。図７１のつまみ代は箇条（９）のものである。図７３の場合は、継ぎ手部分もつまみ代として使用できる。継ぎ手は図１８のものと同じである。【００６１】　図７４、７５は、受けと抑えからなる取り付き部の、受けの延長に、輪挟みをもつものとした例である。図７４、７５は、図１９と対照できるもので、図１９〜図３６について留め押えに替えて、輪挟みをもつことができる。図７４のつまみ代は箇条（１９）のものである。図７５のつまみ代は箇条（１８）のものである。【００６２】　以上、多くの図をもって説明したが、掲示紙面に覆い被らないで掲示できるものにしたい。邪魔になる部分をもたないで掲示できるものにしたい。などとする掲示のありかた。クリップが取り付いた位置の表側、あるいは手前側に掲示したい。傾きをもたせた掲示をしたい。紙片の上端を支持して、或いは紙片の下端を支持して掲示したい。などとする掲示の仕方など、多くの課題を解決するためのものである。【００６３】　本発明では掲示のありかたを解決のために、ワイヤーなど細片からなるものとした。バネ仕掛けや、そのための取っ手をもたないクリップとして、挟み付けで発生する応力で挟み付くものとした。また、掲示の仕方を解決のために、クリップ自体が取り付くための取り付き部と、紙片を支持し掲示するための掲示部を、別々に、そして一体にもつクリップとした。そして、クリップ自体が取り付くための取り付きは、二手に折れて挟み合うものとし、受けと押えからなるもの、受けと抑えからなるものの、２通りのものにした。安定した取り付きを得るための備えとして、取り付き部の受け側に、横張りをもつ、滑り止めをもつ、くねりをもつとした選択ができるものとした。その他に単体のクリップを横並びにつないだものを揃えた。【００６４】　掲示紙片を支持し掲示するための留め付け部は、取り付き部からの延長でつくるものとした。そのかたちとして、（イ）折れ返りの稜で押え付く留め押えのもの、（ロ）棒状に突っ張る突き込みのもの、（ハ）コイル巻き状あるいは、渦巻状に巻いた輪挟みのもの、の３通りのものとした。【００６５】　そして、取り付き面に垂直に掲示するもの、傾きをもって掲示するものとして、それぞれ掲示紙片の上端を支持するもの、掲示紙片の下端を支持するものを備えた。そのかたちとして、
（イ）下に向く挟み口をもつ取り付きに対し、上に向く、あるいは斜め上に向く挟み口の留め付けを、取り付きと裏表の位置に一体にもつもの。
（ロ）下に向く挟み口をもつ取り付きに対し、上あるいは下、斜め上あるいは斜め下に向く突き込みを、取り付きと裏表の位置に一体にもつもの、などを備えた。【００６６】　実施例では針金（番手＃１４，１６，１８）、ビニール線、ステンレス線などワイヤーを用いた。量産はワイヤーを素材にして、ワイヤー加工機によるフォーミング及び追加工などで対応することができる。
【発明の効果】
【００６７】　本発明は、以上説明したように構成されているので、以下に記述されるような効果を奏する。
（イ）掲示の仕方により、使用するクリップの選択肢をもてるものとなった。
（ロ）掲示紙面に覆い被らないで、支持し掲示できるクリップを得た。
（ハ）段ボール箱の切り口に取り付いて掲示するクリップとして、段ボールの切れ端を、掲示紙片として使用できるクリップを得た。
（ニ）クリップが取り付いた位置の手前側に、傾きをもたせて掲示できるクリップを得た。
（ホ）クリップが取り付いた縁上に突き出ないで掲示できるクリップを得た。
（ヘ）段ボール箱の切り口の縦穴に差し込む形に挟み付き、掲示できるクリップを得た。
（ト）つまみ代をもつクリップを得て、細片の折れ曲りからなるも、実用できるクリップとすることができた。
（チ）本発明のクリップは、段ボール箱の切り口に取り付いての掲示に限らず、商品陳列棚の柵板など、板の上縁に取り付いての掲示にも使用することができ。
【図面の簡単な説明】
【図１】本発明の実施例である紙片を掲示するクリップの斜視図である。
【図２】本発明の実施例である紙片を掲示するクリップの斜視図である。
【図３】本発明の実施例である紙片を掲示するクリップの斜視図である。
【図４】本発明の実施例である紙片を掲示するクリップの斜視図である。
【図５】本発明の実施例である紙片を掲示するクリップの斜視図である。
【図６】本発明の実施例である紙片を掲示するクリップの斜視図である。
【図７】本発明の実施例である紙片を掲示するクリップの斜視図である。
【図８】本発明の実施例である紙片を掲示するクリップの斜視図である。
【図９】本発明の実施例である紙片を掲示するクリップの斜視図である。
【図１０】本発明の実施例である紙片を掲示するクリップの斜視図である。
【図１１】本発明の実施例である紙片を掲示するクリップの斜視図である。
【図１２】本発明の実施例である紙片を掲示するクリップの斜視図である。
【図１３】本発明の実施例である紙片を掲示するクリップの斜視図である。
【図１４】本発明の実施例である紙片を掲示するクリップの斜視図である。
【図１５】本発明の実施例である紙片を掲示するクリップの斜視図である。
【図１６】本発明の実施例である紙片を掲示するクリップの斜視図である。
【図１７】本発明の実施例である紙片を掲示するクリップの斜視図である。
【図１８】本発明の実施例である紙片を掲示するクリップの斜視図である。
【図１９】本発明の実施例である紙片を掲示するクリップの斜視図である。
【図２０】本発明の実施例である紙片を掲示するクリップの斜視図である。
【図２１】本発明の実施例である紙片を掲示するクリップの斜視図である。
【図２２】本発明の実施例である紙片を掲示するクリップの斜視図である。
【図２３】本発明の実施例である紙片を掲示するクリップの斜視図である。
【図２４】本発明の実施例である紙片を掲示するクリップの斜視図である。
【図２５】本発明の実施例である紙片を掲示するクリップの斜視図である。
【図２６】本発明の実施例である紙片を掲示するクリップの斜視図である。
【図２７】本発明の実施例である紙片を掲示するクリップの斜視図である。
【図２８】本発明の実施例である紙片を掲示するクリップの斜視図である。
【図２９】本発明の実施例である紙片を掲示するクリップの斜視図である。
【図３０】本発明の実施例である紙片を掲示するクリップの斜視図である。
【図３１】本発明の実施例である紙片を掲示するクリップの斜視図である。
【図３２】本発明の実施例である紙片を掲示するクリップの斜視図である。
【図３３】本発明の実施例である紙片を掲示するクリップの斜視図である。
【図３４】本発明の実施例である紙片を掲示するクリップの斜視図である。
【図３５】本発明の実施例である紙片を掲示するクリップの斜視図である。
【図３６】本発明の実施例である紙片を掲示するクリップの斜視図である。
【図３７】本発明の実施例である紙片を掲示するクリップの斜視図である。
【図３８】本発明の実施例である紙片を掲示するクリップの斜視図である。
【図３９】本発明の実施例である紙片を掲示するクリップの斜視図である。
【図４０】本発明の実施例である紙片を掲示するクリップの斜視図である。
【図４１】本発明の実施例である紙片を掲示するクリップの斜視図である。
【図４２】本発明の実施例である紙片を掲示するクリップの斜視図である。
【図４３】本発明の実施例である紙片を掲示するクリップの斜視図である。
【図４４】本発明の実施例である紙片を掲示するクリップの斜視図である。
【図４５】本発明の実施例である紙片を掲示するクリップの斜視図である。
【図４６】本発明の実施例である紙片を掲示するクリップの斜視図である。
【図４７】本発明の実施例である紙片を掲示するクリップの斜視図である。
【図４８】本発明の実施例である紙片を掲示するクリップの斜視図である。
【図４９】本発明の実施例である紙片を掲示するクリップの斜視図である。
【図５０】本発明の実施例である紙片を掲示するクリップの斜視図である。
【図５１】本発明の実施例である紙片を掲示するクリップの斜視図である。
【図５２】本発明の実施例である紙片を掲示するクリップの斜視図である。
【図５３】本発明の実施例である紙片を掲示するクリップの斜視図である。
【図５４】本発明の実施例である紙片を掲示するクリップの斜視図である。
【図５５】本発明の実施例である紙片を掲示するクリップの斜視図である。
【図５６】本発明の実施例である紙片を掲示するクリップの斜視図である。
【図５７】本発明の実施例である紙片を掲示するクリップの斜視図である。
【図５８】本発明の実施例である紙片を掲示するクリップの斜視図である。
【図５９】本発明の実施例である紙片を掲示するクリップの斜視図である。
【図６０】本発明の実施例である紙片を掲示するクリップの斜視図である。
【図６１】本発明の実施例である紙片を掲示するクリップの斜視図である。
【図６２】本発明の実施例である紙片を掲示するクリップの斜視図である。
【図６３】本発明の実施例である紙片を掲示するクリップの斜視図である。
【図６４】本発明の実施例である紙片を掲示するクリップの斜視図である。
【図６５】本発明の実施例である紙片を掲示するクリップの斜視図である。
【図６６】本発明の実施例である紙片を掲示するクリップの斜視図である。
【図６７】本発明の実施例である紙片を掲示するクリップの斜視図である。
【図６８】本発明の実施例である紙片を掲示するクリップの斜視図である。
【図６９】本発明の実施例である紙片を掲示するクリップの斜視図である。
【図７０】本発明の実施例である紙片を掲示するクリップの斜視図である。
【図７１】本発明の実施例である紙片を掲示するクリップの斜視図である。
【図７２】本発明の実施例である紙片を掲示するクリップの斜視図である。
【図７３】本発明の実施例である紙片を掲示するクリップの斜視図である。
【図７４】本発明の実施例である紙片を掲示するクリップの斜視図である。
【図７５】本発明の実施例である紙片を掲示するクリップの斜視図である。
【符号の説明】
１Ａ〜７５Ａ　（取り付き部の）受け側、受け
１Ａａ　（取り付き部の受けの先端が）直線状あるいは棒状
２Ａｂ　（取り付き部の受けの先端にもつ）尖り
３Ａｃ　（取り付き部の受けにつくる）くねり
４Ａｄ　（取り付き部の受け側にもつ）滑り止め
５Ａｅ、６Ａｅ、８Ａｅ、１１Ａｅ、２０Ａｅ、２１Ａｅ、３２Ａｅ、３４Ａｅ、４２４Ａｅ　（取り付き部の受け側にもつ）横張り
７Ａｆ、８Ａｆ、１１Ａｆ、１５Ａｆ、５２Ａｆ、５３Ａｆ、６６Ａｆ　（取り付き部の受け側での）つなぎ
１Ｂ〜４２Ｂ、４６Ｂ〜６１Ｂ、６４Ｂ〜７３Ｂ　（取り付き部の）押え側、押え
２９Ｂｆ、３０Ｂｆ、３１Ｂｆ、３３Ｂｆ、３７Ｂｆ、５６Ｂｆ、５７Ｂｆ、７０Ｂｆ　（取り付き部の押え側での）つなぎ
４３Ｃ、４４Ｃ、４５Ｃ、６２Ｃ、６３Ｃ、７４Ｃ、７５Ｃ　（取り付き部の）抑え側、抑え
４３Ｃａ　（取り付き部の抑えの先端が）直線状あるいは棒状
４４Ｃｂ　（取り付き部の抑えの先端にもつ）尖り
１Ｄ〜４５Ｄ　（留め付け部にもつ）留め押え
４Ｄｅ、２７Ｄｅ、３４Ｄｅ、４０Ｄｅ、４２Ｄｅ　（留め押えの受け留め側にもつ）横張り
７Ｄｆ、３０Ｄｆ、３７Ｄｆ、４５Ｄｆ　（留め付け部側での）つなぎ
４６Ｅ〜６３Ｅ　（留め付け部にもつ）突き込み
６４Ｆ〜７５Ｆ　（留め付け部にもつ）輪挟み
１ｘ〜７５ｘ　つまみ代
【図１】
2004078230.tif 000003
【図２】
2004078230.tif 000004
【図３】
2004078230.tif 000005
【図４】
2004078230.tif 000006
【図５】
2004078230.tif 000007
【図６】
2004078230.tif 000008
【図７】
2004078230.tif 000009
【図８】
2004078230.tif 000010
【図９】
2004078230.tif 000011
【図１０】
2004078230.tif 000012
【図１１】
2004078230.tif 000013
【図１２】
2004078230.tif 000014
【図１３】
2004078230.tif 000015
【図１４】
2004078230.tif 000016
【図１５】
2004078230.tif 000017
【図１６】
2004078230.tif 000018
【図１７】
2004078230.tif 000019
【図１８】
2004078230.tif 000020
【図１９】
2004078230.tif 000021
【図２０】
2004078230.tif 000022
【図２１】
2004078230.tif 000023
【図２２】
2004078230.tif 000024
【図２３】
2004078230.tif 000025
【図２４】
2004078230.tif 000026
【図２５】
2004078230.tif 000027
【図２６】
2004078230.tif 000028
【図２７】
2004078230.tif 000029
【図２８】
2004078230.tif 000030
【図２９】
2004078230.tif 000031
【図３０】
2004078230.tif 000032
【図３１】
2004078230.tif 000033
【図３２】
2004078230.tif 000034
【図３３】
2004078230.tif 000035
【図３４】
2004078230.tif 000036
【図３５】
2004078230.tif 000037
【図３６】
2004078230.tif 000038
【図３７】
2004078230.tif 000039
【図３８】
2004078230.tif 000040
【図３９】
2004078230.tif 000041
【図４０】
2004078230.tif 000042
【図４１】
2004078230.tif 000043
【図４２】
2004078230.tif 000044
【図４３】
2004078230.tif 000045
【図４４】
2004078230.tif 000046
【図４５】
2004078230.tif 000047
【図４６】
2004078230.tif 000048
【図４７】
2004078230.tif 000049
【図４８】
2004078230.tif 000050
【図４９】
2004078230.tif 000051
【図５０】
2004078230.tif 000052
【図５１】
2004078230.tif 000053
【図５２】
2004078230.tif 000054
【図５３】
2004078230.tif 000055
【図５４】
2004078230.tif 000056
【図５５】
2004078230.tif 000057
【図５６】
2004078230.tif 000058
【図５７】
2004078230.tif 000059
【図５８】
2004078230.tif 000060
【図５９】
2004078230.tif 000061
【図６０】
2004078230.tif 000062
【図６１】
2004078230.tif 000063
【図６２】
2004078230.tif 000064
【図６３】
2004078230.tif 000065
【図６４】
2004078230.tif 000066
【図６５】
2004078230.tif 000067
【図６６】
2004078230.tif 000068
【図６７】
2004078230.tif 000069
【図６８】
2004078230.tif 000070
【図６９】
2004078230.tif 000071
【図７０】
2004078230.tif 000072
【図７１】
2004078230.tif 000073
【図７２】
2004078230.tif 000074
【図７３】
2004078230.tif 000075
【図７４】
2004078230.tif 000076
【図７５】
2004078230.tif 000077